(57)【要約】      （修正有）【課題】取り扱いが簡単であり、柔軟に使用できる飲料ボトルまたは飲料カップの閉鎖システムを提供する。【解決手段】飲用開口部と、第１位置で飲用開口部を密封し、第２位置で飲用開口部を開放する軸方向に移動可能である閉鎖要素１４２と、を備える、マウスピース１３０を有する飲料ボトルまたはカップ用の閉鎖システムにおいて、前記マウスピース１３０が、飲料ボトルまたは飲料カップの容器縁部と、飲料ボトルまたは飲料カップにねじ締め可能である密閉リングとの間に取り付けることが可能である取付具１３２を備え、前記マウスピース１３０が、円錐ハウジング部分１３４の下方に、前記密閉リングの内周部１６４と協働する肩部を有することを特徴とする閉鎖システム。【選択図】図１２
2013035608.tif 000002
【特許請求の範囲】
【請求項１】
飲用開口部と、
第１位置で飲用開口部を密封し、第２位置で飲用開口部を開放する軸方向に移動可能である閉鎖要素（１４２）と、
を備える、マウスピース（１３０）を有する飲料ボトルまたは飲料カップ用の閉鎖システムにおいて、
前記マウスピース（１３０）が、飲料ボトルまたは飲料カップの容器縁部と、飲料ボトルまたは飲料カップにねじ締め可能である密閉リング（１６０）との間に取り付けることが可能である取付具（１３２）を備え、前記マウスピース（１３０）が、円錐ハウジング部分（１３４）の下方に、前記密閉リング（１６０）の内周部（１６４）と協働する肩部（１６２）を有することを特徴とする閉鎖システム。
【請求項２】
前記閉鎖要素（１４２）が周縁ビード部（１４４）を有することを特徴とする、請求項１に記載の閉鎖システム。
【請求項３】
前記閉鎖要素（１４２）が実質的に筒状の構成であり、前記マウスピース（１３０）が、第１位置で前記閉鎖要素（１４２）の長手部分に係合するピン（１４８）を有することを特徴とする、請求項１または２に記載の閉鎖システム。
【請求項４】
取付部分（１３２）が周縁取付フランジであり、その厚さが外側へ向かって径方向に減少することを特徴とする、請求項１から３のいずれか一項に記載の閉鎖システム。
【請求項５】
閉鎖システムが請求項１から３のいずれか一項に従って設計されることを特徴とする、容器と閉鎖システムとを備える飲料ボトルまたは飲料カップ。
【請求項６】
子供用の飲料ボトルまたは子供用飲料カップであることを特徴とする、請求項５に記載の飲料ボトルまたは飲料カップ。
【発明の詳細な説明】
【技術分野】
【０００１】
本発明は、飲料ボトルまたは飲料カップ用の閉鎖システム、ならびに閉鎖システムを備える飲料ボトルまたは飲料カップに関する。
【背景技術】
【０００２】
このような子供用飲料ボトルまたはカップは、液体を受けるための容器を有する。容器は、飲料を飲みやすくするための特殊なマウスピースを有する蓋により閉鎖される。
【０００３】
たとえば、蓋と一体化して形成される飲み口が設けられ、比較的硬質のプラスチックからなる一体型の蓋が作られている子供用飲料カップが公知である。飲み物を飲むことを容易にするために、蓋には通気口が設けられる。意図せずに液体が流出することを回避するためには、弾性材料からなり、マウスピースを吸った時にのみ液体を放出する溝形状の開口部を有する特殊な差込部がマウスピースに設けられることが可能である。また、同じ目的のために特殊なバルブが設けられることも可能である。公知の子供用飲料カップの欠点は、マウスピースが蓋の他の部分と同じ比較的硬質のプラスチックからなり、マウスピースが破損した場合には蓋全体を交換しなくてはならないことである。
【０００４】
公知の子供用飲料ボトルでは、マウスピースは全体として極めて弾性的な材料、たとえばラテックスまたはシリコンからなる乳首であり、開口部と離れた側の端部に取付フランジを有する。取付フランジは密閉リングにより押圧されており、密閉リングは飲料ボトルの縁部に対してねじ締めされて取り付けられる。マウスピースは密閉リングから取り外されることが可能であり、それによって個別に交換することが可能である。非特許文献１は、たとえばそのような子供用飲料ボトルを示している。ボトルの首と密閉リングとの間でマウスピースの取付フランジが正確に密封固定されているかを外観から確認することは困難である。また、ボトルの首の開口部の大きさが、マウスピースの取付フランジの予め設定された大きさに対応する必要がある。
【先行技術文献】
【非特許文献】
【０００５】
【非特許文献１】文献ＤＥ  １９７  ３９  ９１１  Ａ１
【発明の概要】
【発明が解決しようとする課題】
【０００６】
したがって、本発明の目的は、取り扱いが簡単であり、柔軟に使用することが可能である飲料ボトルまたは飲料カップ用の閉鎖システムを提供することである。
【課題を解決するための手段】
【０００７】
スイス特許出願ＣＨ  ６８１０７５  Ａ５から公知である飲料ボトル閉鎖部は、閉鎖部をボトルに密閉するよう接続するために飲料ボトルにねじ込まれるねじ部を有する。これより、本発明のさらなる目的は、さらに柔軟な使用が可能である飲料ボトルの閉鎖システムを提供することである。
【０００８】
この目的は、請求項１の特徴を有するマウスピースを備える飲料ボトルまたは飲料カップ用の閉鎖システムにより達成される。有利な実施形態は付随の従属請求項に記載される。
【０００９】
本発明に係る閉鎖システムは、好適には子供用飲料ボトルまたは子供用飲料カップに使用される。これは、飲用開口部と、第１位置で飲用開口部を密封し、第２位置で飲用開口部を開放する軸方向に移動可能である閉鎖要素とを有し、マウスピースは飲料ボトルまたは飲料カップの容器縁部と飲料ボトルまたは飲料カップにねじ込まれることが可能である密閉リングとの間に締め付けることが可能である取付具を備える。また、前記マウスピースが、円錐ハウジング部分の下方に、前記密閉リングの内周部と協働する肩部を有する。先行技術から公知であるいわゆるプッシュプル式閉鎖システムに対して、本発明では特定のボトルの首に合わせられたねじ部は不要である。代わりに、締め付け可能である取付具がマウスピースに形成される。取付具は特に、周縁取付フランジであることが可能である。締め付け可能である取付具により、ボトルまたはカップにねじ込まれることが可能である密閉リングが設けられた既存の飲料ボトルまたは飲料カップと閉鎖システムを組み合わせることが可能である。このような飲料ボトルまたは飲料カップは広く流通しており、たとえば子供用飲料ボトルに飲み物を飲むための乳首または飲み口を固定するために使用される。これにより、本発明に係る閉鎖システムは、簡単にプッシュプル式システムと組み合わせることができる。したがって飲料ボトルまたは飲料カップの開閉が容易になる。
【００１０】
一実施形態では、閉鎖要素は周縁ビード部を有する。周縁ビード部は好適には、使用者側のマウスピース端部に配置され、軸方向に移動可能である閉鎖要素に固定的に接続される。ビード部は、口または歯を使って閉鎖要素を移動させることを容易にする。別の実施形態では閉鎖要素は実質的に筒状の構成であり、マウスピースは、第１位置で閉鎖要素の長手部分に係合するピンを有する。ピンが閉鎖要素に係合することにより、飲用開口部が第１位置で閉鎖される。実質的に筒状の閉鎖要素は均一の内径または変化する内径を有することが可能である。好適には、閉鎖要素の内径は変化し、閉鎖要素は、使用者側の端部でピンの外径に合わせられた内径を有する。外径が均一のピンでは、さらにボトルに近い部分で閉鎖要素の内径を、ピンの直径に合わせた長手部分に対して拡張することが可能であり、これにより閉鎖要素の第２位置では液体がピンの周りの内径が拡大している部分を流れることが可能である。ピンはこの第２位置では、内径がピンに合わせられた長手部分に係合しない。ピンと実質的に筒状の閉鎖要素の構成は特に簡単な構成であり、閉鎖状態での飲用開口部の確実な密封が達成できる。
【００１１】
一実施形態によれば、固定部分は周縁取付フランジであり、その厚さは外側へ向かって径方向へ減少する。
【００１２】
この場合、取付フランジの厚さは、断面が外側へ向かって均一に減少するか、または少なくとも１つの段差が形成されて減少する。この実施形態により、飲料ボトルまたは飲料カップと密閉リングとの間でのマウスピースの中央への挿入が容易になり、密閉効果が向上する。
【００１３】
上述の目的は、請求項５の特徴を有する飲料ボトルまたは飲料カップによっても達成される。本発明に係る飲料ボトルまたは飲料カップは、上述の閉鎖システムにより閉鎖されることが可能である容器を有する。好適には飲料ボトルまたは飲料カップは、子供用の飲料ボトルまたは子供用の飲料カップである。
【００１４】
好適には密閉リング、固定差込部、子供用飲料カップ、把持要素、移動可能である閉鎖要素および密閉キャップを有するマウスピースは、プラスチック製である。以下に本発明を図面に示される実施形態に基づいて詳細に説明する。
【図面の簡単な説明】
【００１５】
【図１】本発明に係る子供用飲料カップの斜視図である。
【図２】図１の子供用飲料カップの断面図である。
【図３】本発明に係る密閉リングの斜視図である。
【図４】図３の密閉リングの側方からの平面図である。
【図５】図４の密閉リングの線Ａ−Ａで示される平面の断面図である。
【図６】固定差込部の斜視図である。
【図７】図６の固定差込部の上からの平面図である。
【図８】図７の固定差込部の線Ａ−Ａで示される平面の断面図である。
【図９】図７の固定差込部の線Ｂ−Ｂで示される平面の断面図である。
【図１０】図７の固定差込部の線Ｃ−Ｃで示される平面の断面図である。
【図１１】密閉リングとねじ込まれた固定差込部とを有する閉鎖システムの断面図であり、軸方向に移動可能である閉鎖要素を有するマウスピースがこの間に取り付けられている。
【図１２】飲料ボトルまたは飲料カップ用の、軸方向に移動可能である閉鎖要素を有するマウスピースを備える閉鎖システムの斜め下からの斜視図である。
【図１３】図１２の閉鎖システムの斜め下からの別の斜視図である。
【図１４】図１２および図１３の閉鎖システムの斜め上からの別の斜視図と、個別に示される密閉リングの図である。
【発明を実施するための形態】
【００１６】
図１の子供用飲料カップは、閉鎖システムにより閉鎖されるカップ形状の容器１０から構成される。閉鎖システムは、密閉リング２０からなり、その円形の開口部の中央に配置されて飲み口２２の形のマウスピースが挿入される。飲み口２２は、図１では不図示の固定差込部により密閉リング２０の開口部で保持される。密閉リング２０の下、およびカップ縁部の領域内には把持要素２４が配置され、これは２つの把持部分２６と、２つの把持部分２６を接続するリング２８とから構成される。
【００１７】
詳細は図２の断面図にさらに明確に示されている。容器１０は、実質的に円筒形の容器壁部により形成される上方の容器縁部１６まで広がる大きな円形の開口部を有する。容器縁部１６の外面には雄ねじ１２が設けられる。雄ねじ１２の下には、ストッパを形成する周縁突起部１４が配置される。密閉リングは、密閉リングの外周部に構成される雌ねじにより雄ねじ１２にねじ締めされる。把持要素２４は、周縁突起部１４と密閉リング２０との間に固定される。飲み口２２の下には、隠れ蓋３２が挿入されており、これは固定差込部３０の貫通孔に配置されており、飲み口２２の取付具と共に固定差込部３０と密閉リング２０との間に締め付けられる。これにより、固定差込部３０の貫通孔は密封されて飲み口２２内へ、またその開口部３４を通り液体が流出することがない。
【００１８】
図３の斜視図に示される密閉リング２０は環状であり、中央に配置される円形の開口部３６を有する。密閉リング２０の比較的平坦な構造および外周部の上面の非常に曲線的な縁部が図４の側面図に示されている。
【００１９】
図５は、図４において線Ａ−Ａで示される密閉リング２０の径方向の断面を示している。図の左側に配置される断面の縁部は開口部３６を表す。容器１０に接続するために、密閉リング２０は、３８で示される周溝により容器縁部１６に配置される。この場合、雌ねじ４０は容器縁部の雄ねじ１２に係合する。雌ねじ４０は密閉リング２０の外周部に形成され、容器１０への接続のための取付手段として用いられる。密閉リング２０の容器側の面で、さらに中央に向かう面には筒状部分４２が配置され、その外面４４は、ねじ込み式容器１０の容器縁部に隣接している。ねじ込みの際には、外面４４は容器縁部用のガイド部を形成する。筒状部分４２の内面には別の雌ねじ４６が形成されている。これは固定差込部３０を受けるために用いられる。図２に示されるように、固定差込部３０は雌ねじ４６に完全にねじ締めされ、筒状部分４２の下端部と実質的に同一面上で終端する。筒状部分４２の内側で密閉リング２０は容器４８に向かう面を有し、ここから、開口部３６に隣接する周縁ウェブ部５０が突出する。ウェブ部５０は、マウスピースの締付保持のための帯状の周辺接触面を形成する。ウェブ部５０の外周部では、上記ウェブ部が円錐面５２を渡り平面４８へ突出する。ウェブ部５０の帯状接触面と円錐面５２との間に、閉鎖システムの組み付け状態における環状面と同様の方法でマウスピースの取付具に対して押圧される周縁部５４が形成される。雌ねじ４６は、開口部３６から、および容器縁部の取付手段を形成する別の雌ねじ４０から離間している。いずれも離間する間隔は径方向に延伸している。
【００２０】
本発明に係る閉鎖システムの固定差込部３０の斜視図が図６に示される。固定差込部３０は、環状部分５６とウェブ部５８とを有する。環状部分５６は、実質的に円形である貫通孔６０を有する。相互に１２０°離間した３点で、弓形突出部６２が環状部分５６に形成されており、これらは貫通孔６０の方向へ突出する。ウェブ部５８は貫通孔６０の上方かかっている。これはここでは貫通孔６０の中央で延伸しており、環状部分５６の長手方向軸の方向で環状部分５６の平面からわずかに離間しており、これにより特に簡単に把持可能である。組み付けられた状態では容器内側を向く環状部分５６の側面６４は、貫通孔６０に向かってマウスピースの方向へ傾斜している。
【００２１】
図７の平面図でもまた固定差込部が示される。弓形の突出部６２および貫通孔６０の中央にかかるウェブ部５８の配置が特にはっきりと見て取れる。さらに、図８から１０に断面が示されるＡ−Ａ、Ｂ−Ｂ、Ｃ−Ｃが示される。
【００２２】
図７においてＡ−Ａで示される図８の断面図では、環状部分５６から離間するウェブ部５８のわずかに湾曲した形状がはっきりと見られる。環状部分５６の外周部では、雄ねじ６６が形成されており、外側に突出する単一のねじ山は環状部分５６の周囲を１周のみ囲んでいる。これも図６に示されている。符号６８で示される環状部分５６の外縁部、およびこれに隣接しており環状部分５６の平面に配置される帯状の平面７０は、ねじ込まれた状態でマウスピースの取付具と協働し、取付具を密閉リング２０に対して押圧する。
【００２３】
図７のＢ−Ｂにより示される面の、図９に示される断面図では、環状部分５６の輪郭が特に明確に示される。表面６４の貫通孔の方向への傾斜がはっきり見られる。環状部分５６の外周部を形成する概ね円筒形の面７２の高さが密閉リング２０の筒状部分４２の長さに合わせられており、両者が相互にほぼ同一面上で終端するようになっている。
【００２４】
図１０も固定差込部３０の環状部分５６の断面図であり、突出部６２が形成される領域の図７のＣ−Ｃの面を示している。上記突出部は、貫通孔６０内へ突出し、貫通孔６０内へ挿入可能である隠れ蓋を固定するため用いられる。不図示の隠れ蓋は、隠れ蓋を保持するために突出部６２の後方で係合可能である周縁係止突起部を有する。
【００２５】
図１１は、密閉リング２０と固定差込部３０とを有し、これらの間にはマウスピース１００の取付具１０２が取り付けられている閉鎖システムの断面図を示す。マウスピース１００は、軸方向に移動可能である閉鎖要素１０４を有し、これは実質的に筒状であり、外径１０８を有し、マウスピース１００のほぼ円筒形の開口部１０６に挿入される。閉鎖要素１０４の内径は、移動可能である閉鎖要素１０４の長さに亘って可変であり、使用者側の長手部分１１０では内径が比較的小さく、部分１１０に係合するピン１１２の外径に合わせられている。ピン１１２が閉鎖要素１０４の長手部分１１０に係合することにより、閉鎖要素１０４の図示される第１位置では飲用開口部が閉鎖される。長手部分１１０の下では、段１１４の領域で閉鎖要素１０４の内径が拡大し、これにより段１１４の下で隙間１１６がピン１１２と閉鎖要素１０４の内壁との間に形成される。閉鎖要素１０４の使用者側の端部では、長手部分１１０とほぼ同じ高さに配置される周縁ビード部１２４が外に配置される。
【００２６】
マウスピース１００の取付部分１０２は、外側へ向かって厚さが減少する。段１１８が、異なる厚さを有する２つの領域を相互に隔てている。密閉リング２０と固定差込部３０との間にマウスピース１００を取り付ける際に取付具１０２の方を向く密閉リングの接触面１２０が、段１１８の内部で径方向に配置される取付具１０２の厚い方の部分に押圧される。固定差込部の上方の接触面１２２が、段１１８の外側に配置される取付フランジ１０２の薄いほうの部分の領域内で係合する。
【００２７】
軸方向に移動可能である閉鎖要素１０４は、マウスピース１００のほぼ円筒形のハウジング部分１２６内で案内される。このハウジング部分１２６は下端部で、２つのウェブ部１２７を介してピン１１２の下端部に接続する。また、ハウジング部分１２６は、ハウジング部分１２６の外面から延伸する湾曲した円錐ハウジング部分１２８および別の実質的に円筒形のハウジング部分１２９を介して取付具１０２に接続する。
【００２８】
図１２では、プッシュプル式の別のマウスピース１３０が示される。その外周部でマウスピース１３０は取付具１３２を有する。取付具１３２は、ほぼ円錐形のハウジング部分１３４と結合し、これは、ハウジング部分１３４に比べて開き角度が大幅に小さいほぼ円錐形のハウジング部分１３６と結合する。ハウジング部分１３４の下で、これに固定的に接続して、軸方向に調整された２つのウェブ部１３８が延伸し、これらは下端部で環状のディスク形状の接続片１４０へ開放する。
【００２９】
円錐ハウジング部分１３６のほぼ円筒形の開口部に案内される軸方向に移動可能な閉鎖要素１４２が斜線で示される。図１２に示される第１位置では、マウスピース１３０の飲用開口部は閉鎖されている。軸方向に移動可能である閉鎖要素１４２は、使用者側の端部に周縁ビード部１４４を有する。閉鎖要素１４２は、円錐ハウジング部分１３６を通り案内され、円錐ハウジング部分１３４の下でさらに軸方向に、２つのウェブ部１３８の間を通り環状のディスク形状の接続要素１４０まで延伸する。
【００３０】
図１３は、移動可能である閉鎖要素１４２を備えるマウスピース１３０の第２位置を示しており、この位置では飲用開口部は開放している。図１３および図１４と同じ符号が使用される。図１２の関連で既に説明された特徴に加えて、閉鎖要素１４２の第２位置では閉鎖要素１４２の円筒形部分１４６が見えており、これはビード部１４４の下方に形成されている。また、環状接続片１４０に取り付けられ、かつ、これと一体的に製造されるピン１４８も示されており、移動可能である閉鎖要素１４２の円筒形開口部に軸方向へ延伸する。ピン１４８と実質的に筒状の閉鎖要素１４２との間には、環状の隙間１５０が示されており、図示される閉鎖要素の第２位置では、ここを通って液体が流れることが可能である。
【００３１】
図１４は、マウスピース１３０の別の斜視図であり、閉鎖要素１４２は図１２に示される第１位置にある。この閉鎖状態の位置で斜め上から見た図では、ピン１４８の上端部が閉鎖要素１４２の円筒形開口部に係合する様子が見られる。これにより、飲用開口部が閉鎖される。また、図１４では密閉リング１６０が示されており、ここを通ってマウスピース１３０が下方から案内されることが可能であり、円錐面１３４内に形成される肩部１６２が密閉リング１６０の内周部１６４と協働する。飲料ボトルまたは飲料カップの上側の容器縁部に密閉リング１６０をねじ締めすることにより、取付具１３２が密閉リング１６０と容器縁部との間で密閉するように取り付けられる。
【符号の説明】
【００３２】
１６          容器縁部
１３０        マウスピース
１３２        取付具（取付部分）
１３４        円錐ハウジング部分（ハウジング部分，ほぼ円錐形のハウジング部分，円錐面）
１４２        閉鎖要素
１４４        周縁ビード部（ビード部）
１４８        ピン
１６０        密閉リング
１６２        肩部
１６４        内周部
【図１】
2013035608.tif 000003
【図２】
2013035608.tif 000004
【図３】
2013035608.tif 000005
【図４】
2013035608.tif 000006
【図５】
2013035608.tif 000007
【図６】
2013035608.tif 000008
【図７】
2013035608.tif 000009
【図８】
2013035608.tif 000010
【図９】
2013035608.tif 000011
【図１０】
2013035608.tif 000012
【図１１】
2013035608.tif 000013
【図１２】
2013035608.tif 000014
【図１３】
2013035608.tif 000015
【図１４】
2013035608.tif 000016